Podtech/llm-jp-corpus-v4-ja_patent huggingface dataset:
(57)【要約】【課題】医療廃棄物の病院内搬送から医療廃棄物物滅菌装置への投入までのプロセスを人手を介さずに自動化する。【解決手段】医療廃棄物入った袋の医療廃棄物滅菌装置への投入プロセスを人手を介さずに自動化する為に、医療廃棄物滅菌装置用ボックス自動移載装置７を設け、ボックスコンベアシステムの廃棄物ステーション６と医療廃棄物滅菌装置８を医療廃棄物滅菌装置用ボックス自動移載装置７により結合するようにする。【選択図】図１
2006131321.tif 000002
【特許請求の範囲】
【請求項１】
病院で使用される移載装置において、移載用ベルトコンベア１０、ガイドベルト１１、グリッパ上部板１２、グリッパ下部ベルト１３を取り付けた医療廃棄物滅菌装置用ボックス自動移載装置
【請求項２】
病院で使用される移載装置において、ボックス上部のヘリ３の裏面をガイドベルト１１およびグリッパ下部ベルト１３の上に接触させ、医療廃棄物滅菌装置８の真上まで運ぶ医療廃棄物滅菌装置用ボックス自動移載装置
【発明の詳細な説明】
【技術分野】
【０００１】
本発明は、病院などの建物内の天井裏などに敷設したボックスコンベアシステムの１ステーションである廃棄物ステーションから医療廃棄物が格納されたボックスを受け取り、医療廃棄物を自動的に医療廃棄物滅菌装置に投げ入れることができる事ができる医療廃棄物滅菌装置用ボックス自動移載装置に関する。
【背景技術】
【０００２】
以下、図３により従来のボックスコンベアシステムを使用した場合の医療廃棄物の処理について説明する。  
発送元ステーション１に停止している空のボックス２内に医療廃棄物の入った袋を置き、そのボックス２を廃棄物ステーション６に向かうように指示すると、ベルトコンベア４が動き出し、ボックス２は、ベルトコンベア４及び分岐装置５により搬送され廃棄物ステーション６に到着する。
【０００３】
医療廃棄物滅菌装置８は、廃棄物ステーション６から離れた所に設置されていて、作業員が廃棄物ステーション６に到着したボックス２を手で持って、医療廃棄物滅菌装置８の所へ行き、医療廃棄物滅菌装置の蓋９を手動で開けた後、ボックス２内の医療廃棄物を医療廃棄物滅菌装置８に投げ入れていた。  この処理で、廃棄物ステーション６に到着したボックス２内の医療廃棄物を医療廃棄物滅菌装置８に自動移載する特許文献を調査しましたが、見当たりませんでした。  
【発明の開示】
【発明が解決しようとする課題】
【０００４】
従来、ボックスコンベアシステムの廃棄物ステーション６と医療廃棄物滅菌装置８は、異なる場所に設置され、ボックス２に格納されている医療廃棄物を医療廃棄物滅菌装置８に入れる場合、人が療廃棄物が入ったボックス２を廃棄物ステーション６で受け取り、そのボックス２を医療廃棄物滅菌装置８のところまで手で持っていった後、手動で医療廃棄物滅菌装置の蓋９を開け、医療廃棄物を医療廃棄物滅菌装置８に投げ入れていた為、人の労力を必要とし、且つ、作業員は、医療廃棄物からの感染の危険があった。    本発明では、廃棄物ステーション６から医療廃棄物滅菌装置８までの医療廃棄物の搬送を無人化する事を課題とする。
【課題を解決するための手段】
【０００５】
本発明の医療廃棄物滅菌装置用ボックス自動移載装置は、病院で使用される自動移載装置において、ボックスコンベアシステムの１ステーションである廃棄物ステーションから医療廃棄物が格納されたボックスを受け取り、ボックス内の医療廃棄物を自動的に且つ、確実に医療廃棄物滅菌装置に投げ入れることができる事を特徴とする。
【発明の効果】
【０００６】
本発明の医療廃棄物滅菌装置用ボックス自動移載装置により、医療廃棄物の病院内の自動搬送の後の自動的且つ確実な医療廃棄物滅菌装置への移載が可能となり、その処理は、全自動なので、従来の様な医療廃棄物から作業員への病原菌の感染の危険性もなくなる。
【発明を実施するための最良の形態】
【０００７】
以下、本発明の実施の形態として一実施例を図１、図２に基づいて説明する。
【０００８】
発送元ステーション１に停止している空のボックス２の中に医療廃棄物を置き、そのボックス２を廃棄物ステーション６に向かうように指示すると、ベルトコンベア４が動き出し、ボックス２は、分岐装置５を通過した後、廃棄物ステーション６を通過し、医療廃棄物滅菌装置用ボックス自動移載装置７の移載用ベルトコンベア１０のところに達する。
【０００９】
そして、医療廃棄物滅菌装置用ボックス自動移載装置７のガイドベルト１１の上にボックス上部のヘリ３の裏面がのり、ガイドベルト１１を図２に向かって左回りに回転させると、ボックス２は、医療廃棄物滅菌装置用ボックス自動移載装置７のグリッパ下部ベルト１３の方向に移動し始めて,図２の（Ａ）の状態になる。
【００１０】
そして、さらにボックス２は、移動し、グリッパ下部ベルト１３の所に達し、グリッパ下部ベルト１３を図２に向かって左回りに回転させると、図２の（Ｂ）の状態になる。
この状態になったらば、ガイドベルト１１とグリッパ下部ベルト１３は、停止する。
【００１１】
その後、図２の（Ｃ）の状態で示すように、医療廃棄物滅菌装置の蓋９が開く。
【００１２】
そして、医療廃棄物滅菌装置用ボックス自動移載装置７のグリッパ上部板１２とグリッパ下部ベルト１３およびボックス２が１５０度回転する事により、図２の（Ｄ）の状態の様に医療廃棄物を医療廃棄物滅菌装置内に投げ入れる。
【００１３】
その後、医療廃棄物滅菌装置用ボックス自動移載装置７のグリッパ上部板１２とグリッパ下部ベルト１３が１５０度反対方向に回転する事により、図２の（Ｃ）の状態に戻る。
また、その時、医療廃棄物滅菌装置の蓋９が、閉まる。
【００１４】
そして、ガイドベルト１１とグリッパ下部ベルト１３の上にボックスのヘリ３がのった状態で、ガイドベルト１１とグリッパ下部ベルト１３を図２に向かって右回りに回転させると、図２の（A）の状態になる。
【００１５】
その後、移載用ベルトコンベア１０を図２に向かって右回りに回転させることにより、空のボックス２は、医療廃棄物滅菌装置用ボックス自動移載装置７から出て、医療廃棄物滅菌装置用ボックス自動移載装置７の一連の動作は、終了する。
【図面の簡単な説明】
【００１６】
【図１】本発明の一実施例を示すボックスコンベアシステムと医療廃棄物滅菌装置のブロック図
【図２】医療廃棄物滅菌装置用ボックス自動移載装置の一連の動作及びその状態を示した説明図（−実施例）
【図３】従来のボックスコンベアシステムと医療廃棄物滅菌装置のブロック図
【符号の説明】
【００１７】
１  発送元ステーション
２  ボックス
３  ボックス上部のヘリ
４  ベルトコンベア
５  分岐装置
６  廃棄物ステーション
７  医療廃棄物滅菌装置用ボックス自動移載装置
８  医療廃棄物滅菌装置
９  医療廃棄物滅菌装置の蓋
１０  移載用ベルトコンベア
１１  ガイドベルト
１２  グリッパ上部板
１３  グリッパ下部ベルト
【図１】
2006131321.tif 000003
【図２】
2006131321.tif 000004
【図３】
2006131321.tif 000005
(57)【要約】【課題】屋外での線香の着火しにくい点を、改良し着火し易くする。【解決手段】（１）線香の先に（２）着火剤を塗り込み、又は練り込んだ。【選択図】図１
2006131604.tif 000002
【特許請求の範囲】
【請求項１】
線香の先に着火剤を付け、容易に着火が出来るようにした線香。
【発明の詳細な説明】
【発明の詳細な説明】
【技術分野】
【０００１】  本発明は、線香の先に着火剤を塗り込み、又は練り込み、着火を容易にした線香。
【背景技術】
【０００２】  従来、墓参り等、屋外での着火は、天候の影響を受け易く、強風や雨天時では、なかなか着火せず、場合によっては、先に着いた線香は短く、他の線香は着かない等の着火にずれがあった。
【発明を実施するための最良の形態】
【０００３】  本発明は、屋外での着火を容易にした物で、図面にて説明すると、（１）線香の先に（２）着火剤を塗り込み、又は練り込んだ物である。
【発明の効果】
【０００４】  このようにすれば、線香を着火剤によって、ほぼ同時に着火させる事ができ、天候に左右されにくい為、屋外での使用に最適である。
【図面の簡単な説明】
【図１】  本発明の斜視図である。
【符号の説明】
（１）線香
（２）着火剤
【図１】
2006131604.tif 000003
(57)【要約】【課題】  長時間の車の運転や長時間のディスクワークなど、長時間同じ姿勢を保つことによって起こる血栓を予防するための、血栓予防飲料水を提供する。【解決手段】  車中などに持ち込みやすい、缶、ペットボトル、紙パック、びん等の容器に入った飲料水に、血栓を溶かす働きのあるナットウキラーゼの成分を配合する。【選択図】  なし【特許請求の範囲】
【請求項１】
缶、ペットボトル、紙パック、びん等の容器に入った飲料水に、ナットウキラーゼの成分を配合する。
【発明の詳細な説明】
【技術分野】
【０００１】  本発明は、缶、ペットボトル、紙パック、びん等の容器に入った飲料水に、ナットウキラーゼの成分を配合する血栓予防飲料水に関するものである。
【背景技術】
【０００２】  近年、長時間の車の運転や長時間のディスクワークなど、長時間同じ姿勢を保つことによって起こる血栓で、亡くなる方が多い。
【発明の開示】
【発明が解決しようとする課題】
【０００３】  そのために、次のような問題点があった。
血栓予防には、適度に体を動かす等が必要だが、狭い車内などではそれもままならない。
本発明は以上の問題点を解決しようとするものである。
【課題を解決するための手段】
【０００４】  最近、ナットウキラーゼの成分に、血栓を溶かす働きがあることがわかった。そこで、長時間の車の運転や長時間のディスクワークなど長時間同じ姿勢を保つ人に、ナットウキラーゼの成分を配合した飲料水を飲んでもらえば、血栓予防の手助けになると考える。
【発明を実施するための最良の形態】
【０００５】  車中などに持ち込める利便性から、缶、ペットボトル、紙パック、びん等の容器に入った飲料水に、ナットウキラーゼの成分を配合する。
【発明の効果】
【０００６】  本発明は長時間の車の運転や長時間のディスクワークなど、長時間同じ姿勢を保つことによって起こる血栓を、血栓を溶かす働きのあるナットウキラーゼの成分を配合した飲料水を飲むことによって、血栓予防の手助けをするものである。
(57)【要約】【課題】  防音床材の施工後において、防音床材上に家具等の重量物を載置しても防音床材が撓むことなく、重量物を水平に保つことが可能な防音床材の撓み防止構造を提供すること。【解決手段】  裏面にクッション材３を備えた防音床材４が床基材６上に施工された後に、床基材６から防音床材４の表面までの高さと略同じ高さの支持部材１が防音床材４の表面側から床基材６表面まで達するように挿入され、支持部材１によって防音床材４上に載置される家具等の重量物８が支持される。【選択図】図１
2006152539.tif 000002
【特許請求の範囲】
【請求項１】
裏面にクッション材を備えた防音床材が床基材上に施工された後に、
床基材から防音床材の表面までの高さと略同じ高さの支持部材が、防音床材の表面側から床基材表面まで達するように挿入され、
該支持部材によって防音床材上に載置される家具等の重量物が支持されるものであることを特徴とする防音床材の撓み防止構造。
【発明の詳細な説明】
【技術分野】
【０００１】
本発明は、防音床材の撓み防止構造に関するものである。
【背景技術】
【０００２】
従来より、裏面にクッション材を備え、床基材上に施工されて防音効果を奏する防音床材が知られている（例えば、特許文献１）。
【０００３】
ここで、図３に示すように、従来の防音床材４においては、壁７付近における防音床材４の沈み込みを防止するために、クッション材３を一部剥がして際根太５を配置するようにしている。
【特許文献１】特許第２６９７９４５号公報
【発明の開示】
【発明が解決しようとする課題】
【０００４】
しかしながら、上記の防音床材４を床基材６上に施工した後に、家具等の重量物８を壁７付近に載置した場合、その重みによって防音床材４が撓んでしまい、重量物８が前側に傾いてしまうおそれがあった。
【０００５】
そのため、重量物８の前面側の底部にスペーサ１０を挿入して重量物８を水平に保つようにしているが、防音床材４の撓みは解消されないものであった。
【０００６】
本発明は、かかる事由に鑑みてなしたもので、その目的とするところは、防音床材の施工後において、防音床材上に家具等の重量物を載置しても防音床材が撓むことなく、重量物を水平に保つことが可能な防音床材の撓み防止構造を提供することにある。
【課題を解決するための手段】
【０００７】
上記課題を解決するために、本発明における防音床材の撓み防止構造は、裏面にクッション材を備えた防音床材が床基材上に施工された後に、床基材から防音床材の表面までの高さと略同じ高さの支持部材が、防音床材の表面側から床基材表面まで達するように挿入され、該支持部材によって防音床材上に載置される家具等の重量物が支持されるものであることを特徴とする。
【発明の効果】
【０００８】
上記本発明の防音床材の撓み防止構造は、防音床材上に家具等の重量物を載置する際に、重量物の載置場所に合わせて支持部材を設置することができるので、防音床材が撓むのを防止するとともに、重量物を水平に保つことができる。
【０００９】
また、防音床材の施工後に支持部材を設置することができるので、予め防音床材の補強等を行っておく必要がなく、重量物の載置場所の自由度が上がる。
【発明を実施するための最良の形態】
【００１０】
本発明の実施形態における防音床材の撓み防止構造について、図１、２に基づいて説明する。
【００１１】
本実施形態における防音床材４は、表面床材２と表面床材２の裏面に備えられたクッション材３により構成されており、床基材６上に施工されている。
【００１２】
複数の表面床材２同士は、それぞれの側端部に交互に設けられた嵌合凸部２ａ及び嵌合凹部２ｂにより嵌合されている。
【００１３】
壁７の下部に沿って際根太５が配設されており、これにより表面床材２が壁７付近で沈み込まないようにしている。
【００１４】
また、家具等の重量物８の一例として、タンスがその背面を壁７に接近させた状態で防音床材４上に載置されている。
【００１５】
そして、重量物８の下方において、支持部材１が防音床材４内に挿入された状態で重量物８を支持している。すなわち、支持部材１は、底部が床基材６と当接し、上部が重量物８の底面と当接した状態で、重量物８が傾かないように支持している。
【００１６】
ここで、支持部材１としては、図２（ａ）に示すようなネジ部１ａとヘッド部１ｂからなるボルト状のものを用いてもよいし、図２（ｂ）に示すような木ネジ１ｃとダボ１ｄからなるものを用いてもよい。
【００１７】
また、支持部材１の材料としては、樹脂や金属等が挙げられるが特に限定されるものではなく、また、ダボ１ｄの材料としては木材を使用してもよい。
【００１８】
また、支持部材１の色は表面床材２の色と同色とすることがデザイン上好ましい。
【００１９】
また、支持部材１の高さは、床基材６から防音床材４の表面までの高さと略同じ高さとすることが好ましく、例えば、上記のダボ１ｄの高さを調整することにより支持部材１の高さを調整することもできる。
【００２０】
次に、支持部材１の設置方法について説明する。ここで、本実施形態における支持部材１は、防音床材４が床基材６上に施工された後に、重量物８の載置位置等に合わせて防音床材４の表面側から床基材６表面まで達するように挿入されるものである。
【００２１】
まず、上記図２（ａ）に示したボルト状の支持部材１を設置する場合においては、防音床材４に孔をあけてから、この孔にボルト状の支持部材１を挿入する。この時、必ずしもネジ部１ａにはネジが形成されている必要はなく、例えば、ハンマー等を用いて孔内に支持部材１を嵌め込んでもよい。
【００２２】
また、上記図２（ｂ）に示した木ネジ１ｃとダボ１ｄからなる支持部材１を設置する場合においては、木ネジ１ｃのヘッド部とダボ１ｄが収容される程度の深さの孔をあけておき、この孔に木ネジ１ｃをねじ込んでいけばよい。
【００２３】
ここで、支持部材１の設置場所、設置数等については特に限定されるものではなく、載置される重量物８の大きさや重さによって適宜選択すればよいものである。
【００２４】
以上のように、本実施形態における防音床材の撓み防止構造は、防音床材４上に家具等の重量物８を載置する際に、重量物８の載置場所に合わせて支持部材１を設置することができるので、防音床材４が撓むのを防止するとともに、重量物８を水平に保つことができる。
【００２５】
また、防音床材４の施工後に支持部材１を設置することができるので、予め防音床材４の補強等を行っておく必要がなく、重量物８の載置場所の自由度が上がる。
【図面の簡単な説明】
【００２６】
【図１】本発明の実施形態における防音床材４の撓み防止構造を説明する断面図である。
【図２】同実施形態における支持部材１を説明する断面図である。
【図３】従来の防音床材４上に重量物８が載置された状態を説明する断面図である。
【符号の説明】
【００２７】
１  支持部材
２  表面床材
３  クッション材
４  防音床材
５  際根太
６  床基材
８  重量物
【図１】
2006152539.tif 000003
【図２】
2006152539.tif 000004
【図３】
2006152539.tif 000005
(57)【要約】【課題】  本発明が解決しようとする課題は、地震などに伴う揺れと液状化によりコンクリートマンホールが突上げ浮上すること、下水道等の流水管が破損することを解消して管路を維持させることにある。【解決手段】  本発明はコンクリートマンホールの垂直形筒部の外表に外方に向けて水平張出しする突上げ浮上防止用のひれを全周または部分的に１乃至複数段にて設けて、地震などによるマンホールの突上げ浮上を解消するようにしたことにある。【選択図】  図１
2006152542.tif 000002
【特許請求の範囲】
【請求項１】
コンクリートマンホールの垂直形筒部の外表に浮上防止用のひれを１乃至複数層において取付けて地震などによる突上げ浮上を防止するようにしたことを特徴とするマンホールの地震などによる浮上防止構造。
【請求項２】
浮上防止用のひれは無端環状形または２乃至複数個に区分して取付け、上下の間に段差を置いて交互にずらして取付けする請求項１記載の浮上防止構造。
【請求項３】
コンクリートマンホールの製造時に浮上防止用のひれをボルト止め取付けするためのインサートナット付きの鋼製カラーを垂直形筒部の外周にあらかじめ埋込み取り付けしておく請求項１または２に記載の浮上防止構造。
【発明の詳細な説明】
【技術分野】
【０００１】
この発明はコンクリートマンホールの地震などによる突上げ浮上の防止構造に関するものである。
【背景技術】
【０００２】
従来、コンクリートマンホールとしては特開２０００−１１０１８７号公報がある。該公報は地震等により組立式マンホールの継手部分が破壊された場合に地下水および土砂の進入を防止するために継手部分の外周に不透水性の可撓バンドを巻着して、該バンドの上部と下部をステンレススチールベルトにて固定することを開示している。
【特許文献１】特開２０００−１１０１８７号公報
【発明の開示】
【発明が解決しようとする課題】
【０００３】
しかしながら、該公報を含めてコンクリートマンホールは、開削土内に垂直インロー積み重ねして据え付けたあとに地震などに遭遇して埋め戻し土砂を含む周辺が震動し、さらには液状化現象を生ずるときはコンクリートマンホールを突き上げ浮上させるという事故が多発している。またコンクリートマンホールの浮上がりにより下水道などの流水管を破断させるという課題がある。
【課題を解決するための手段】
【０００４】
本発明は、コンクリートマンホールの垂直形筒部の外周に突き上げ浮上防止用のひれを突設して、かかる課題を解決するようにしたのである。
【発明の効果】
【０００５】
本発明は、コンクリートマンホールの垂直形筒部の外表に、側方に張り出す突上げ浮上防止用のひれを１乃至複数段にて突設したので、地震などにより周辺土砂に液状化現象などが生じても該ひれの地中張り出しに伴う浮上抑止作用によりコンクリートマンホールの突上げ浮上が防止されるという効果を生ずる。あらかじめインサートナットを埋込みんでおくことでひれのボルト止め突設を容易にするという効果がある。
【発明を実施するための最良の形態】
【０００６】
本発明は、コンクリートマンホールの垂直形筒部の外表に水平突出形をした突上げ浮上防止用のひれを１乃至複数段において取付けて地震等による揺れと液状化が生じてもコンクリートマンホールを該ひれの地中における水平張り出しにて突上げ浮上が生じないようにしたのである。
【実施例１】
【０００７】
図１に示すようにインロー積み重ね形をしたコンクリートマンホール１を形成する。各層のコンクリートマンホール１は製造時に所定位置の外周に入口のあるインサートナット２を取付けた鋼製カラー３をあらかじめ埋込み取付けする。突上げ浮上防止用のひれ４はカラー体４ａの下端より水平に突き出す外方突出形のひれ部４ｂと両者をつなぐ三角形などの補強板４ｃにて形成して、埋込みしたインサートナット２の入口にボルト５を螺挿し螺着して取付ける。４ｄは連結用のボルトナット、６はインロー継手部、７は緊結プレート、８は流水管９の継ぎ孔である。
【０００８】
なお図１のコンクリートマンホールにおいては、下段は図２に示すように突上げ浮上防止用のひれ４を無端環状にて周設し、中段は図３に示すように突上げ浮上防止用のひれ４を外周に対称して２個乃至数個づつ取付け、上段は図４に示すようにさらに上下に段差を設けて取付けた実施例を示し、最上段の傾斜壁にもひれ４を取付けた例を示している。
【０００９】
図５はインサートナット２付きの鋼製カラー３を示すもので、インサートナット２付きの鋼製カラー３をあらかじめ埋込みしていない既設のコンクリートマンホールなどには図６に示すように突上げ浮上防止用のひれ４をアンカー１０止めして取付けるのである。なお鋼製カラー３の内面に水膨張性ゴムを取付けることもある。
【００１０】
突上げ浮上防止用のひれ４の張出し幅はコンクリートマンホール１の大きさによって異なるが、おおむね１５〜３０ｃｍである。
【実施例２】
【００１１】
図７はひれ４の周囲を直線形に形成した例を示し、図８は四角筒形のコンクリートマンホール１ａの外表に突上げ浮上防止用のひれ４を取付けた実施例を示している。
【産業上の利用可能性】
【００１２】
本発明は以上のようにして、新設のコンクリートマンホールのほか既設のマンホールにも容易に突上げ浮上防止用のひれを取付けて地震などによるマンホールの突上げ浮上を防止して管路を維持することができる。
【図面の簡単な説明】
【００１３】
【図１】本発明の突上げ浮上の防止構造を施したコンクリートマンホールの１例を示す断面図
【図２】突上げ浮上防止用のひれを無端環状にて周設した部分の横断面図
【図３】同、４分の１分割にて対称に取付けた例の横断面図
【図４】同、上下に段差を設けた取付け例を示す部分縦断面図
【図５】鋼製カラーの平面図とインサートナット部分の拡大図
【図６】アンカーボルトによる取付け例を示す部分拡大横断面図
【図７】ひれの周囲を直線状に形成した例を示す平面図
【図８】四角筒形のコンクリートマンホールの実施例を示す平面図
【符号の説明】
【００１４】
１はコンクリートマンホール
２はインサートナット
３は鋼製カラー
４は突上げ浮上防止用のひれ
４ａカラー体
４ｂはひれ部
４ｃは補強板
４ｄは連結用のボルトナット
５はボルト
６はインロー継手
７は緊結プレート
８は流水管の継ぎ孔
９は流水管
【図１】
2006152542.tif 000003
【図２】
2006152542.tif 000004
【図３】
2006152542.tif 000005
【図４】
2006152542.tif 000006
【図５】
2006152542.tif 000007
【図６】
2006152542.tif 000008
【図７】
2006152542.tif 000009
【図８】
2006152542.tif 000010
(57)【要約】      （修正有）【課題】従来の肌着のパンツは左右の袋状から形成されており、はいているのを取替える時はその外側にはいているものを全部脱ぐ必要があった。【解決手段】左右の上縁から下部の左右の穴までを開閉できるようにしたふんどしパンツである。【選択図】図１
2006152522.tif 000002
【特許請求の範囲】
【請求項１】
左右の上縁から下部の左右の穴までを開閉できるようにしたふんどしパンツ。
【発明の詳細な説明】
【技術分野】
【０００１】本発明は肌着のパンツの改良に関するものである。
〔背景技術〕【０００２】従来のパンツは袋状のものに左右２つの脚を通す穴の開いた構造をしていた。
〔発明の開示〕
〔発明が解決しようとする課題〕【０００３】そのために、はいているパンツを取替える時はその外側にはいているものを全部脱ぐ必要があった。本発明はこの問題点を解決するために考えたものである。
〔課題を解決するための手段〕【０００４】本案はパンツの左右の上縁から下部の左右の穴迄を開閉できる構造にしたものである。
〔発明の効果〕【０００５】本案はこのような構造だから開閉部を開くことにより、パンツの外側にはいているものを脱ぐことなくパンツを取替えることが出来るのである。
〔発明を実施するための最良の形態〕【０００６】開閉部（１）と開閉部（２）はファスナー又はマジックテープ又はスナップ又は引掛金具等を使用し、簡単に開閉できるようにする。
【図面の簡単な説明】
【０００７】〔図１〕  本発明の展開図
〔図２〕  本発明の使用時の左側面図
〔図３〕  本発明の使用時の右側面図
〔図４〕  本発明の使用時の正面図
【符号の説明】
【０００８】１  左開閉部
２  右開閉部
【図１】
2006152522.tif 000003
【図２】
2006152522.tif 000004
【図３】
2006152522.tif 000005
【図４】
2006152522.tif 000006
(57)【要約】【課題】従来の、生活習慣を変える事無く、頭部から、マイナスイオン、遠赤外線を吸収して、頭部の改善を図り、特に老化による生活習慣病の、頭痛、痴呆症、脳溢血、脳血栓  脳内出血等の頭部からの病気予防、治癒、改善に効果的なものは無いものかと、解決の課題とした。【解決手段】  その結果、帽子の中に、炭素セラミックスの顆粒粉末を封入装着して、健康補助具として着用することで、マイナスイオン、遠赤外線の作用効果が自然と頭部に浸透作用するので、課題の解決の手段とした。【選択図】  図３
2006152521.tif 000002
【特許請求の範囲】
【請求項１】
帽子に炭素セラミックスの顆粒粉末を封入装着した、炭素セラミックスを装着した帽子。
【請求項２】
炭素セラミックスの代替に、備長炭、竹炭等の活性炭の顆粒粉末を封入装着した、請求項１の活性炭を装着した帽子。
【請求項３】
炭素セラミックスの顆粒粉末を小袋に分封、全体を布で覆って、帽子に装着できるようにした、炭素セラミックス帽子用アタッチメントで、請求項１の炭素セラミックスを装着した帽子。
【発明の詳細な説明】
【技術分野】
【０００１】本発明は、帽子の内面に、炭素セラミックス、活性炭の顆粒粉末を封入装着することで、帽子を着用している間、自然に、炭素セラミックス、活性炭から発生する、遠赤外線、マイナスイオン等が直接頭の中に作用するので、脳内の血液の循環が活発になり、老化防止、活性化に効果がある。
【背景技術】
【０００２】従来、帽子は、生活習慣からして、屋外で使用するのが普通であった。身体機能改善、疲労回復、消臭等に、炭素セラミックスは利用されているが帽子の中に直接顆粒粉末を封入装着した帽子は無かった。本発明の帽子を着用すると、頭全体が炭素セラミックスの作用効果による、自律神経の調整、血行の改善等の利点がある。
【発明の開示】
【発明の効果】
【０００３】このようにすれば、帽子を日常愛用している人は、生活習慣を改善して、室内でも着用できるデザインに改良して、炭素セラミックスを封入装着した帽子を着用することで、炭素セラミックスから発生作用している、マイナスイオン、遠赤外線等が、自然の内に、頭から脳内に吸収され血流の改善になり、痴呆症、脳溢血、脳血栓等の頭部からの病気予防、治癒、改善に効果がある。勿論、屋外用野球帽子等の全ての帽子に利用すると、遠赤外線、マイナスイオンなどの発生による効果、多孔質構造の炭素化による、消臭効果など本発明品の炭素セラミックスを装着した帽子は、多機能的健康補助具となり、効果と効能は半永久的である。
【発明が解決しょうとする課題】
従来の、生活習慣を変える事無く、頭部から、マイナスイオン、遠赤外線を吸収して、頭部の改善を図り、特に老化による生活習慣病の、頭痛、痴呆症、脳溢血、脳血栓  脳内出血等の頭部からの病気予防、治癒、改善に効果的なものは無いものかと、解決の課題とした。
【課題を解決するための手段】
その結果、帽子の中に、炭素セラミックスの顆粒粉末を封入装着して、健康補助具として着用することで、マイナスイオン、遠赤外線の作用効果が自然と頭部に浸透作用するので、課題の解決の手段とした。
【発明を実施するための最良の形態】
【０００４】本発明は、帽子の中に、炭素セラミックスを封入装着して、帽子兼用の健康補助具を提供するものである。図１は、つば付の帽子で、図２は、つば無しの主に女性や室内用帽子である。図３は、帽子の上部の湾曲部の断面図である。
図１、図２に示すとおり、帽子の外見は普通の帽子と何ら変わらないが、図３に示すとおり、帽子の頭部湾曲部分を２重にする。図３の、断面図１は、帽子の上側頭部の覆い布で、２は、内側の布部である。３は小袋に封入した炭素セラミックスで、１と２の隙間の、頭部湾曲部に全てにわたるように装着する。３の炭素セラミックスの素材５０ｇを小袋８枚に約６、６ｇを分封、帽子の頭部湾曲部に封入装着する。装着した帽子図１、図２を問わず、帽子を着用すると、頭部から悪影響がある、成人病が軽減される。図２のつば無し帽子は、昼間でも、夜間寝ている時でも、室内外を問わず２４時間着用使用できる。帽子の材質は、布、毛織、紙等で良く、形状も既製品で良く、図面に限定するものでない。炭素セラミックスの素材５０ｇを小袋８枚に約６、６ｇを分封、図４の如くして布で覆って帽子用炭素セラミックスのアタッチメントとして、既存の帽子や、頭部のネット等に簡単に装着脱できる、アタッチメントを提供するものである。
【産業上の利用可能性】  本発明の炭素セラミックスを装着した、帽子を着用すると、生活習慣や、器具を調達する事無く、頭部からの、マイナスイオン、遠赤外線の作用効果で、脳内の血行の改善が図られ、特に老化による生活習慣病の、頭痛、痴呆症、脳溢血、脳血栓  脳内出血等の頭部から来る、難病の病気予防、治癒、改善に効果的である。本発明の帽子を着用する事で、上記病気の軽減予防になることで、帽子としての付加価値が上がり、頭部から来る病気の予防改善に効果があることは、高齢化社会に於ける、一番問題になっている医療費の軽減になり、個人の支出、国の医療費の支出を問ず、社会生活に貢献して、ひいては産業経済の発展に寄与するものである。本案の帽子は、通常の帽子としても、健康補助具としても使用でき、特別な操作も必要なく、只、着用するだけ簡単で、効果は顕著なものがある。
【図面の簡単な説明】
【０００５】
【図１】  つば付帽子の斜視図である。
【図２】  つば無し帽子の斜視図である。
【図３】  炭素セラミックスを装着した、つば無し帽子の断面図である。
【図４】  炭素セラミックス帽子用アタッチメントの平面図である。
【符号の説明】
【０００６】  １    帽子の上部
２    帽子のつば
３    帽子の内側
４    小袋に入れた炭素セラミックス
５    布を被せたアタッチメント
【図１】
2006152521.tif 000003
【図２】
2006152521.tif 000004
【図３】
2006152521.tif 000005
【図４】
2006152521.tif 000006
(57)【要約】【課題】  洗濯耐久性のある繊維の抗菌・防ダニ加工方法を提供する。【解決手段】  ポリヘキサメチレングアニジンリン酸塩とピレスロイド系化合物を組み合わせることにより洗濯耐久性のある繊維の抗菌・防ダニ加工が可能となる。【特許請求の範囲】
【請求項１】
ポリヘキサメチレングアニジンリン酸塩とピレスロイド系化合物を処理することを特徴とする抗菌・防ダニ繊維。
【発明の詳細な説明】
【技術分野】
【０００１】  本発明は、抗菌・防ダニ性を有する繊維に関する。詳しくは抗菌・防ダニ効果の洗濯耐久性に優れ、混紡した際も効果の低下が少ない抗菌・防ダニ繊維に関する。
【背景技術】
【０００２】  従来、病院や老人ホーム等での病原菌感染防止を目的としたカーペット、寝具類等への抗菌性付与に関心が持たれている。ＭＲＳＡ等における院内感染や病原性細菌による食中毒など抗菌加工のニーズは増加している。またアレルギー性疾患や小児喘息も社会問題となり、そのアレルゲンであるダニの駆除にもニーズは高い。【０００３】  これらのニーズに対して繊維に抗菌剤や防ダニ剤を加工することは数多く提案されている。抗菌剤としては銀等の抗菌性金属を利用した無機系抗菌剤、第４級アンモニウム塩系，ピリチオン系，ジフェニル系等の有機系抗菌剤がある。また防ダニ剤としてはピレスロイド系，カルボン酸エステル系化合物が使用されている。【０００４】  抗菌剤および防ダニ剤を繊維に固着する方法としては各種バインダー樹脂を併用する方法が知られている。【０００５】  しかし従来提案されている方法ではいずれも洗濯耐久性がまだ不十分であり、未加工の同種あるいは他の繊維と混紡するとさらにそれらの効果は低下してしまう。
【発明の開示】
【発明が解決しようとする課題】
【０００６】  本発明は従来技術を背景にし、その課題は抗菌性，防ダニ性の洗濯耐久性に優れ、しかも未加工の他の繊維と混紡してもこれらの性能が低下しない抗菌防ダニ繊維を提供することにある。
【課題を解決するための手段】
【０００７】  本発明者らは上記課題を解決するため、繊維加工で使用されている抗菌剤と防ダニ剤を組み合わせ、繊維に加工してその洗濯耐久性を確認したところ、ポリヘキサメチレングアニジンリン酸塩とピレスロイド系防ダニ剤との組み合わせが抗菌防ダニ性能の洗濯耐久性を著しく向上させ、他の未加工繊維と混紡しても性能の低下が少なくなることを見い出し、本発明を完成するに至った。
【発明の効果】
【０００８】  本発明のポリヘキサメチレングアニジンリン酸塩とピレスロイド系化合物の組み合わせは煩雑な加工方法を必要とせず、高い洗濯耐久性を有し、混紡においても著しい性能の低下がみられない。
【課題が解決するための最良の形態】
【０００９】  本発明で使用されるポリヘキサメチレングアニジンリン酸塩はカチオン性の抗菌剤であり、広範囲の細菌類に対し強い抗菌効果を持っている。また安全性に関しては、特に皮膚に対する毒性がなく、繊維の抗菌加工に適した物質である。
【００１０】  また、本発明で使用される防ダニ剤はフェノトリン、ペルメトリン、合成ピレトリン及び天然ピレトリン等のピレスロイド系化合物、またピレスロイド骨格を持っていないがピレスロイド系化合物と同様の作用機構を示すエトフェンプロックス、シラフルオフェン等のピレスロイド様化合物もピレスロイド系化合物と同じように使用できる。なおこれらは単独で使用しても２種類以上を併用しても良い。
【００１１】  ポリヘキサメチレングアニジンリン酸塩の繊維に対する加工量は繊維重量に対して０．００１〜１０重量％の範囲、好ましくは０．１〜１．０重量％であるが、特に限定はされない。
【００１２】  また本発明に使用する防ダニ剤の繊維に対する加工量は繊維重量に対して０．００５〜０．５重量％の範囲、好ましくは０．０１〜０．２重量％であるが、特に限定はされない。
【００１３】  また本発明には樹脂バインダーを併用することができる。併用可能な樹脂バインダーは自己架橋型アクリル酸エステルあるいは分子内にカルボキシル基を有する共重合樹脂、アクリル・シリコン共重合樹脂、ウレタン樹脂、シリコン樹脂、エチレン酢ビ樹脂、メタアクリル樹脂、グリオキザール樹脂の１種又は２種以上からなる。
【実施例】
【００１４】  以下、実施例により詳細説明する。しかし、本発明はこれらの実施例に限定されるものではない。【００１５】  （実施例１）防ダニ剤配合処方を表１に示す。
【表１】
2006152517.tif 000002
【００１６】  抗菌防ダニ加工の処方を表２に示す。
【表２】
2006152517.tif 000003
【００１７】  上記処方による加工を次の条件で行った。
被処理物：綿ブロード（１２０ｇ／ｍ２）
処理浴：  浴比＝１：２０  処理後、マングルにて絞り（絞り率：８０％）、８０℃にて乾燥。
処理方法：表２に示した処理浴に綿ブロード（２０ｃｍ×２０ｃｍ）を浴比１：２０，浴温度６０℃で時々攪拌しながら３０分間浸漬した後、マングルにて絞る。その後８０℃にて乾燥した。【００１８】  （洗濯方法）洗濯はＪＩＳ  Ｌ−０２１７  １０３法に準じて行った。【００１９】  （抗菌試験）ＪＩＳ  Ｌ−１９０２に準じて行った。
供試細菌：  Ｓｔａｐｈｙｌｏｃｏｃｃｕｓ  ａｕｒｅｕｓ  ＮＢＲＣ  １２７３２                Ｅｓｃｈｅｒｉｃｈｉａ  ｃｏｌｉ  ＮＢＲＣ  ３３０１【００２０】  （防ダニ試験）インテリアファブリックス性能評価協議会の侵入阻止法に準じて行った。
供試虫：  ヤケヒョウヒダニ【００２１】  上記試験の結果を表３に示す。
【表３】
2006152517.tif 000004
【００２２】  （実施例２）表４の処方にて被処理物をＰＥＴタフタに変え、加工した。【００２３】
【表４】
2006152517.tif 000005
【００２４】  上記処方による加工を次の条件で行った。
被処理物：ＰＥＴタフタ（６５ｇ／ｍ２）
処理浴：  浴比＝１：２０  処理後、マングルにて絞り（絞り率：４０％）、８０℃にて乾燥。
処理方法：表４に示した処理浴にＰＥＴタフタ（２０ｃｍ×２０ｃｍ）を浴比１：２０，浴温度６０℃で時々攪拌しながら３０分間浸漬した後、マングルにて絞る。その後８０℃にて乾燥した。【００２５】  上記試験の結果を表５に示す。
【表５】
2006152517.tif 000006
【産業上の利用可能性】
【００２６】  本発明は、ポリヘキサメチレングアニジンリン酸塩とピレスロイド系化合物を組み合わせた繊維の抗菌・防ダニ加工方法であり、この処理により洗濯耐久性のある抗菌・防ダニ加工が可能となる。
(57)【要約】      （修正有）【課題】幼児をベビーカー、チャイルドシート、電車内あるいは多種のベンチシート類に乗せる又は着席をさせた状態において容易に幼児の体温を可能とし且つ着脱容易なオーバーオールーの提供。【解決手段】少なくとも前後２片の単衣片を胴部位両側の一部分を縫製合体させ上部首から両肩を開放し下部を前後の２片を自在にする。前部単衣片の内側に本体と一体化した且つ両側に分室されて両脚収納用袋体筒状ポケットを具備する。【選択図】図３
2006152518.tif 000002
【特許請求の範囲】
【請求項１】
少なくとも前後２片の単衣片を胴部位両側の一部分を縫製合体させ上部首から両肩を開放し下部を前後の２片を自在にしたオーバーオール。
【請求項２】
前後２片の前部単衣片の内側に本体と一体化した且つ両側に分室されて両脚収納用袋体筒状ポケット２個を具備したことを特徴とするオーバーオール。
【発明の詳細な説明】
【技術分野】
【０００１】  本発明は幼児同伴で外出する際に用いるベビーカー、チャイルドシート、電車内あるいは多種のベンチシート類に幼児を乗せる又は着座をさせた状態において容易に幼児の体温調整を可能とし且つ着脱容易なオーバーオールに関する。
【背景技術】
【０００２】  従来、幼児用オーバーオールの構造は体を中心にほぼ中央から左右に且つ表側即ち首から腹部までと裏側即ち首から臀部までの２通りがある。しかし上部いずれの場合も着脱するには手順が煩雑のため親の意に反して着脱状態を放置させざるを得ないケースが多い。
【発明の開示】
【発明が解決しようとする課題】
【０００３】  そこで本発明においては幼児の健康維持に特に外出した場合の体温調整は必須であり体温調整が短時間にいかなる状態においても可能であり且つ着脱容易なオーバーオールを提供するものである。
【課題を解決するための手段】
【０００４】  オーバーオールの縫衣構成を前身頃、即ち胸腹部を覆う全面部衣と後身頃、即ち背面部を覆う後面部衣との２枚とする。前記、前面部衣の内側に各々片足を収納包覆するポケット２ヶ所を具備している。後面部衣の最上部には首部を保護すると同時にアクセサリーとしてのリボン衣を縫製具備している。前記、前面部衣と後面部衣とはほぼ中央近辺で左右両側を縫製する。【０００５】  前面部衣と後面部衣は大別して胸部から肩位部および腕包覆下部より開閉可能な構成になっており胸部の開放を容易にしている。前面部衣と後面部衣は全くフリーな構成にしてオーバーオールの着脱を容易にしている。
【発明の効果】
【０００６】  上記のように本発明のオーバーオールは幼児がベビーカー等に着席、着座した状態で、幼児に上半身部の開放を容易に可能とし、前記動作はオーバーオール着衣状態であり前面部衣内部に具備している両脚収納包覆ポケットに幼児の両脚は各々収納しており靴下が不要である。【０００７】  前述のオーバーオールの縫衣構成の特徴が示す如く戸外から室内、車内への移動による温度変化に容易に対応することを可能とし幼児の体温調整に速応し健康維持をはかるものである。また、簡便な縫衣、縫製構成により安価でコンパクトなオーバーオールを提供する。
【発明の実施するための最良の形態】
【０００８】  以下、本発明の実施例を図面にもとづいて記述する。図１は着衣実施例を示す。図２は上半身開放実施例を示す。図３はオーバーオール完成図を示す。図６以下は縫衣、縫製構成示す。
【０００９】  図６において、まず前面部衣３の内側縫衣縫製構成を示し破線図示は縫製を示す。本体は単衣布をカットし左右の足収納ポケット部５を各々上部に折り曲げ各々の左右を縫製し袋体状ポケットを作る。胸ポケット６は別単衣布で作成後本体に縫製し取付ける。
更に簡易保持具としてマジックテープを両肩部の表面に複数個、縫製し取付ける。
【００１０】  図７に後面部衣４を示す。本体は単衣布をカットしたのみの単純な部衣であり別単衣布でリボン８を作成後本体に縫製し取りつける。簡易保持具として前面部衣３に取付けられている。
【００１１】  図３に前面部衣３と後面部衣４を合体縫製したオーバーオール２の完成正面図を示す。前面部衣３と後面部衣４の合体縫製は左右のＡ点からＢ点までを縫製し少なくともＡ点から下部においては前面部衣３と後面部衣４は各々自在に動くように工夫されている。
【００１２】  図４にオーバーオール２の完成側面図、図５に完成後面図を示す。図２に示す如くリボンを外し両肩で簡易的に保持されているマジックテープを外す事により容易に上半身の開放を可能とする。また、図２の状態において幼児を抱き上げる事により、オーバーオールをベビーカーに残し幼児のみ抜き取る事を容易にしている。
【００１３】  図４に示す如く袖９の部衣にゴム等を縫い込みマジックテープと併用しボタンフック等で簡易固定する事により冬季に冷気の流入を止める事も可能である。又、夏季においては袖９の開口部を大きく取り前面部衣３後面部衣４の生地を薄手の防水生地にすることにより、レインコートやウインドブレーカーとして着用可能である。
【００１４】  四季を通してリボン８の後面上部にマジックテープ等によりフードの着脱を可能にすることにより、安価で多目的なオーバーオールを提供する事ができる。
【図面の簡単な説明】
【００１５】
【図１】  着衣実施例
【図２】  上半身開放実施例
【図３】  完成図（正面）
【図４】  完成図（側面）
【図５】  完成図（後面）
【図６】  前面部衣
【図７】  後面部衣
【符号の説明】
【００１６】  １．ベビーカー
２．オーバーオール
３．前面部衣
４．後面部衣
５．足収納ポケット
６．胸ポケット
７．マジックテープ
８．リボン
【図１】
2006152518.tif 000003
【図２】
2006152518.tif 000004
【図３】
2006152518.tif 000005
【図４】
2006152518.tif 000006
【図５】
2006152518.tif 000007
【図６】
2006152518.tif 000008
【図７】
2006152518.tif 000009
(57)【要約】      （修正有）【課題】  耐久的な、接合強度のある羽子板ボルトを提供する。【解決手段】  一端にボルト杆３の基部を熔接した羽子板部１に締付けボルト４の貫通孔５を設けて成り、貫通孔５を、前記羽子板部１部分をリブ状にして上方に膨出させて設けた円筒部６の内周縁６ａで構成する。  【選択図】図２
2006152596.tif 000002
【特許請求の範囲】
【請求項１】
一端にボルト杆の基部を固着した羽子板部に締付けボルトの貫通孔を設けて成り、前記貫通孔を、前記羽子板部部分をリブ状にして上方に膨出させて設けた円筒部の内周縁で構成した羽子板ボルト。
【発明の詳細な説明】
【技術分野】
【０００１】
本発明は、木造建物の柱と梁を接合する際などに用いている羽子板ボルトに関するものである。
【背景技術】
【０００２】
一端にボルト杆の基部を固着した羽子板部に締付けボルトの貫通孔を設けて羽子板状にした構造のものが一般で、概し、ボルト杆を柱に貫通させて柱より突出するボルト杆の先端にナットを螺合締付ける一方、横架材を通じた締付けボルトの先端を羽子板部側の前記貫通孔に貫通させて突出させ、該先端に締付けナットを螺合締付けるようにして柱と横架材を接合するようにしたものである。
【発明の開示】
【発明が解決しようとする課題】
【０００３】
前記従来例は、柱に貫通させたボルト杆に螺合したナットを螺合締付けることにより、締付けボルトを組付けた横架材を柱側に引き寄せるようにして柱と横架材との接合強度を図るのであるが、横架材に柱から離開する方向すなわちボルト杆による横架材の引き寄せ方向と反対方向の荷重が負荷されると、該荷重は締付けボルトを介して締付けボルトを貫通させた貫通孔部に必要以上に集中し、貫通孔部が破断し、羽子板ボルトとしての本来の機能が損われる場合がある。
【０００４】
本発明は、従来例の斯様な欠点に着目し、破断の発生を可及的に防ぐ羽子板ボルトを提供すべく創案したものである。
【課題を解決するための手段】
【０００５】
一端にボルト杆の基部を固着した羽子板部に締付けボルトの貫通孔を設けて成り、前記貫通孔を、前記羽子板部部分をリブ状にして上方に膨出させて設けた円筒部の内周縁で構成したこととしたものである。
【発明の効果】
【０００６】
本発明によれば、貫通孔の縁部に締付けボルトを介して荷重が集中しても該縁部を円筒部の内周縁で構成するものであるから当該縁部に生じる破断を可及的に防ぐことができる。
【０００７】
また、貫通孔を、いわばリブ状態で構成するものであるから羽子板部の屈曲性やせん断性の向上を図れ、地震などの振動によるナットのゆるみをスプリング効果により抑制することも期待でき、総じて耐久性的な、接合強度を増大させた羽子板ボルトを提供できる。
【実施例】
【０００８】
図面は本発明に係る羽子板ボルトの一実施例を示し、図１は使用状態を示す正面図、図２は図１の要部の拡大断面図である。
【０００９】
本発明に係る羽子板ボルトＡは、羽子板部（主体板）１の長手方向の一端に、相対する両端を屈曲状にして立ち上り部片２，２を相対設し、該立ち上り部２の上端にボルト杆３の基端を固着（熔接）する一方、前記羽子板部１の他の一端側には締付けボルト４を挿通する貫通孔５を設けて構成したものである。
【００１０】
この羽子板ボルトＡを構成する前記貫通孔５は、前記羽子板部１の前記他の一端側の中央部分をリング形のリブ状にして（プレス搾り加工して）上方に膨出させて設けた円筒部６の内周縁６ａで構成し、円筒部６の下端は、前記羽子板部１の下面１´より下方にわずかに突出させてある（この突出量は、円筒部６をふくんだリブ状部６Ａのプレス加工によって得られる形態の大きさによって定まる）。
【００１１】
しかして、ボルト杆３を柱１０に形成した通し孔１１に貫通させて羽子板部１を横架材１２に重ね合わせるようにして貫通孔５を横架材１３に形成した通し孔１４と一致させ、通し孔１４側から前記締付けボルト４を貫通させて前記貫通孔５より突出する締付けボルト４の先端に締付けナット７を螺合締付けて羽子板部１を横架材１３に固定する一方、柱１０の通し孔１１より突出するボルト杆３の先端にナット８を螺合締付けるようにして羽子板ボルトＡを用い、柱１０と横架材１３は接合される。
【００１２】
なお、締付けボルト４とこれに螺合した締付けナット７によって横架材１３に締め付けられることにより円筒部６の、羽子板部下面１´より突出する下端（先端）６´は横架材１３に減り込んで横架材１３に強固に固定される。もっとも、下端６´が羽子板部１の下面１´より突出することは必ず必要とするものではない。
【図面の簡単な説明】
【００１３】
【図１】使用状態を示す正面図。
【図２】図１の要部の拡大断面図。
【符号の説明】
【００１４】
１      羽子板部
３      ボルト杆
４      締付けボルト
５      貫通孔
６      円筒部
６ａ    内周縁
【図１】
2006152596.tif 000003
【図２】
2006152596.tif 000004
(57)【要約】【課題】  アルミ等雨戸を室内側から室外側に押すと案外と弱い、室外側からでも室外側に力を加える工作をすれば、以外と簡単に雨戸を取外すことができる、これを防止するための防犯用補強治具を提供する。【解決手段】  アルミ等雨戸の外枠に、つめつきの補強治具を装着し、ネジにより、しっかりと雨戸どうしを固定させ、こじ開けに強い、防犯上非常に有利なアルミ等雨戸防犯用補強治具。【選択図】  図１
2006152768.tif 000002
【特許請求の範囲】
【請求項１】
平鋼をカギ形に曲げたものを、内づめ、外づめの各１個づつ作り、内づめに２個のネジ穴を設け、外づめにも２個の穴を設け、このネジ穴と穴はセットした時一致する位置に設け、
このネジ穴に締め付けるためのネジを具備したことを特徴とするアルミ等雨戸防犯用補強治具。
【発明の詳細な説明】
【技術分野】
【０００１】  本発明は、アルミ等雨戸の外枠の隙間面を治具により、しっかりと密着させ防犯上の強度を高める為のアルミ等雨戸防犯用補強治具に関するものである。
【背景技術】
【０００２】  従来は、アルミ等雨戸１枚では室内の外から室内側に押す力には強いが、室内から室外側に押す力には案外と弱い、すなわち、外から隣り合う雨戸どうしの外枠接触面の隙間にアルミ等雨戸より硬い材質の金属でできている、先端のとがったものを差し入れて室外側にこじれば、アルミ等雨戸は曲がって割合とはずしやすくなる。
【発明の開示】
【発明が解決しょうとする課題】
【０００３】  そのために、次のような問題点があった。
（イ）アルミ等より硬い材質のもので、薄くて先端の尖った工具を用いて、隣り合う外枠どうしの隙間に、この工具を差し入れて室外側にこじると、雨戸が曲がって、少し隙間を拡大すれば、あとは、両手で室外側に引っ張れば、雨戸は外れてしまう。
（ロ）雨戸が外れれば、あとは、ほぼガラス戸であるので容易にガラス戸を割り、鍵をあけ室内に侵入する事ができる。
本発明は、以上の問題点を解決するためになされたものである。
【課題を解決するための手段】
【０００４】    平鋼をカギ形に曲げたものを、内づめ、外づめの各１個づつ作り、内づめに２個のネジ穴を設け、外づめにも２個の穴を設ける。  このネジ穴と穴はセットした時一致する位置に設け、これをネジで締め付けるようにすることを特徴とするアルミ等雨戸防犯用補強治具である。
【発明の効果】
【０００５】  このアルミ等雨戸防犯用補強治具を、アルミ等雨戸の隣り合う外枠（８）のタテ方向に最低３箇所取り付けることによって、雨戸外枠の強度が増加し、こじ開けにくくなり防犯上非常に有利になる。
【発明を実施するための最良の形態】
【０００６】  以下、本発明の実施の形態について説明する。
（イ）  平鋼をカギ形に曲げた内づめ（１）に２個のネジ穴（５）を設ける。
（ロ）  平鋼をカギ形に曲げた外づめ（２）に２個の穴（６）を設ける。
（ハ）  内づめ（１）と外づめ（２）をアルミ等雨戸外枠（８）に固定するためのネジ（３）座金（４）を設ける。
（ニ）  内づめ（１）のネジ穴（５）と外づめ（２）の穴（６）は、アルミ等雨戸外枠（８）に装着した時は、一致した位置になるように設ける。
本発明は、以上の構成よりなっている。
本発明を使用する時は、アルミ等雨戸外枠（８）と本体波板（９）の間に内づめ（１）を入れ、その上に同じく反対側の雨戸外枠（８）と本体波板（９）の間に外づめ（２）を入れて、内づめ（１）の上に重ねて内づめ（１）のネジ穴（５）と、外づめ（２）の穴（６）の位置が一致していることを確認し、隣り合う雨戸外枠（８）に、ネジ穴（５）と穴（６）の中心位置に、ポンチ等をうち、ドリル等で隣り合う雨戸外枠（８）に一個づつの穴（１１）を、まず、あけておく。
その時、図４に示すように、この穴（１１）の上に座金（７）を一枚、金属用接着剤等を使用して取り付けておくと良い。
それから、アルミ等雨戸外枠（８）と本体波板（９）の間に、内づめ（１）を入れ、その上に同じく反対側の雨戸外枠（８）の間に外づめ（２）を入れて、内づめ（１）の上に重ねる。
この時、内づめ（１）のネジ穴（５）、外づめ（２）の穴（６）および雨戸外枠の穴（１１）の位置が一致していることを確認し、ネジ（３）と座金（４）を取り付ける。
さらに、ネジ（３）と座金（４）は、ネジ回し等を使用して、しっかりと締め込むと雨戸も、しっかり密着しこじ開けにくくなる。
また、アルミ等雨戸防犯用補強治具を取外すときは、ネジ回し等でネジ（３）と座金（４）を取外せば、補強治具は簡単に取り外せる。
【図面の簡単な説明】
【０００７】
【図１】  本発明の斜視図
【図２】  本発明の分解斜視図
【図３】  本発明の使用状態を示す断面図
【図４】  本発明のアルミ等雨戸外枠の穴あけの断面図
【図５】  本発明のアルミ等雨戸防犯用補強治具の取付図
【符号の説明】
【０００８】  １  内づめ
２  外づめ
３  ネジ
４  座金
５  ネジ穴
６  穴
７  座金
８  雨戸外枠
９  本体波板
１０  補強治具本体
１１  穴
【図１】
2006152768.tif 000003
【図２】
2006152768.tif 000004
【図３】
2006152768.tif 000005
【図４】
2006152768.tif 000006
【図５】
2006152768.tif 000007